(57)【要約】      （修正有）【課題】不意に水などの流体が掛けられた場合でも、使用上の安全性を向上させ、製品のコンパクト化と製造コストの低減を実現する。【解決手段】本体１に対して流体が掛かっても、第１の凹み部35に達した流体は第２の凹み部36に流れ込んで、本体１内部への流体の侵入を防止できる。その結果、制御基板25への流体の付着を防止でき、使用上の安全性を向上できる。また、本体１に第２の凹み部36を設けるだけなので、製品のコンパクト化と製造コストの低減を実現できる。さらに、本体１の前側の上面２Ｂに位置する第２の凹み部36の上面部の断面積が、本体１の正面２Ａに位置する第２の凹み部36の正面部36Ａの断面積よりも大きく、この部分で流体を貯留量を意図的に増加させている。よって第２の凹み部36の上面部でオーバーフローすることなく流体を受入れ、本体１への流体の侵入を確実に防止することができる。【選択図】図３
2007143893.tif 000002
【特許請求の範囲】
【請求項１】
容器を収納する本体と、操作部や表示部を備えた制御手段と、前記制御手段に対向して前記本体に取付けられる飾り部と、上部を覆う蓋体と、により構成した炊飯器において、
前記本体には、この本体に対しほぼ同一面となるか、或いは凸になるように前記飾り部を取付けるための第１の凹み部が設けられ、
前記第１の凹み部には、形成された第２の凹み部が設けられ、
前記本体の上面に位置する前記第２の凹み部の断面積が、前記本体の正面に位置する前記第２の凹み部の断面積よりも大きく形成したことを特徴とする炊飯器。
【請求項２】
フック部を設け、このフック部に嵌合する受部を前記本体に設けたことを特徴とする請求項１記載の炊飯器。
【請求項３】
前記制御手段を前記本体に設けた前記受部よりも内側に配置したことを特徴とする請求項２記載の炊飯器。
【請求項４】
容器を収納し、上枠と底板とを有する本体と、操作部や表示部を備えた制御手段と、前記制御手段に対向して前記本体に取付けられる飾り部と、上部を覆う蓋体と、により構成した炊飯器において、
前記本体には、前記上枠と前記底板に対しほぼ同一面となるか、或いは凸になるように前記飾り部を取付けるための第１の凹み部が設けられ、
前記第１の凹み部には、形成された第２の凹み部が設けられ、
前記上枠に形成した凹み部から、前記底板に形成した凹み部にかけて、その深さが変化する変位部を形成したことを特徴とする炊飯器。
【請求項５】
前記上枠に嵌合部を設け、前記飾り部で覆う範囲内にある前記嵌合部が、前記底板で嵌合される構成としたことを特徴とする請求項４記載の炊飯器。
【請求項６】
前記変位部は、前記上枠のみ、または前記上枠と前記底板に設けられていることを特徴とする請求項４または５記載の炊飯器。
【発明の詳細な説明】
【技術分野】
【０００１】
本発明は、制御基板を覆うようにして、本体に飾り部を取付けた炊飯器に関する。
【背景技術】
【０００２】
一般に、この種の炊飯器は、容器に相当する内釜を本体に収納自在とし、ヒータや誘導加熱（ＩＨ）コイルなどの加熱手段によって内釜を加熱して、炊飯を行なうものが例えば特許文献１などで知られている。この特許文献１では、本体の上部に内釜の開口部を覆う蓋体が設けられており、蓋体には、炊飯時に内釜内から発生する水蒸気を放出するための蒸気排出機構や、内釜の上方開口部に対向して配置される内蓋や、内蓋の外縁上部にあるフランジ部をシールするためのパッキンなどが設けられる。その際、これらの蒸気排出機構の一部，内蓋およびパッキンからなる内蓋セット（内蓋体）は、蓋体に対して着脱自在に設けられる。その理由は、炊飯の度に内蓋セットを取り外して単独で洗えるようにし、清掃性を向上させるためである。
【０００３】
一方、上面と上側面とを構成する合成樹脂製の上枠と、側面を構成する金属部材からなる外枠とにより本体を形成した炊飯器が、近年主流となっている。これは、本体の側面が金属部品となることで清掃性を向上させたり、外観品位を向上させることが主な目的である。
【０００４】
前記蓋体は、外観部品となる外蓋や、外蓋の下方を覆う外蓋カバーなどにより構成され、外蓋カバーと本体の上部外郭をなす上枠の後方に各々ヒンジ孔を形成して、ここにヒンジ軸を挿通することにより、蓋体と本体とをヒンジ軸で軸支して、蓋体を本体に対し開閉自在とする構造になっている。また、本体や蓋体の後方にあって、前記ヒンジ孔やヒンジ軸を含むヒンジ部には、蓋体を常時開く方向に付勢させるヒンジバネが配置される。このヒンジ部とはほぼ反対側にある本体や蓋体の前方には、蓋体を閉状態に保持するクランプ機構が設けられており、蓋体を開けたいときには、本体に設けた本体クランプ部と、蓋体に設けた蓋体クランプ部との係合を解除して、前記ヒンジバネの弾性力により蓋体を開ける構成となっている。
【０００５】
また、使用者の様々なニーズに対応して、複数の炊飯コースや、炊飯以外の各種調理コースを複数設けた炊飯器が増加している。こうした炊飯器には、炊飯コースや調理コース，時刻などを表示する表示部が設けられており、一般的にはＬＣＤ（液晶表示器）を表示部として採用するのが殆どである。また、炊飯コースなどを選択したり、炊飯を開始する操作部が設けられている。こうした表示部や操作部は、互いに近傍に設けられているが、その理由は、表示部と操作部を同一の制御基板上に設けることで、別々の基板に設けるよりも安価になり、且つ収納スペースもコンパクトになるからである。
【０００６】
前記表示部や操作部を備えた制御手段としての制御基板は、様々な印刷を施したシートをインサート成形した飾り部品（飾り部）で覆われる。この飾り部品は、表示部および操作部に対向していて、操作部の印刷により使用者にわかり易くするだけでなく、使用者が不意に水を掛けた時に、電装部である制御基板に水などの流体が付着するのを防止する役割を果たしている。
【０００７】
飾り部品は操作パネルとして、本体や蓋体に取付けられるが、蓋体に取付ける場合には、配線の引廻しが複雑になるなど、製品単価が上がる要因が多く、本体に取付けることが多い。このような構造の炊飯器は、例えば特許文献２などに開示されている。
【０００８】
本体に操作パネルを取り付けるものでは、制御基板上の表示部や操作部に対向して、本体を構成する上枠に開口を形成し、この上枠に制御基板を取付けた後に、操作パネルを上枠の表面側から開口を塞ぐように嵌合する。この時、操作パネルの上面は操作パネルの上面の一部と略同一高さとなる。さらに、操作パネルは上枠の正面まで延びており、この上枠の正面においても、操作パネルは上枠と略同一の高さとなる。操作パネルの外縁に対向する上枠の部分（外縁対向部）は、操作パネルの厚さ分だけ凹んだ形状（凹み部）を有している、
【特許文献１】特開２０００−７０１２９号公報
【特許文献２】特開２００１−２９９５７９号公報
【発明の開示】
【発明が解決しようとする課題】
【０００９】
しかし、上述した従来の炊飯器の構造では、次のような問題点があった。
【００１０】
使用者が誤って水を掛けたりした場合、その水が上枠と操作パネルとの隙間から侵入し、上枠の上面と操作パネルの下面との間を伝わる。このとき、上枠に孔などの本体内部への貫通部が形成されていると、そこから水が浸入して制御基板の上部に付着し、当該制御基板を短絡させる虞れを生じる。また、上枠の上面と操作パネルの下面との間に水などが伝わるのを防止する手段として、シートなどの防水対策を施すことが考えられるが、製品コストを上昇させる要因になり好ましくない。
【００１１】
さらに、制御基板に水が付着しないように、操作パネルと上枠との嵌合位置を本体の前方に移動させればよいが、その場合は製品寸法が大きくなり、やはり好ましくない。
【００１２】
本発明は上記問題点に鑑み、不意に水などの流体が掛けられた場合でも、制御手段の短絡発生を防止して、使用上の安全性を向上させ、製品のコンパクト化と製造コストの低減を実現できる炊飯器を提供することをその目的とする。
【課題を解決するための手段】
【００１３】
本発明の請求項１における炊飯器では、飾り部が本体に取付けられた時に、この本体に対しほぼ同一面となるか、或いは凸になるように第１の凹み部を設け、さらに第１の凹み部には、別に形成された第２の凹み部を設けているので、本体に対して水などの流体が掛かっても、第１の凹み部に達した水は第２の凹み部に流れ込んで、本体内部への流体の侵入を防止できる。その結果、制御手段への流体の付着を防止でき、使用上の安全性を向上させた炊飯器を提供できる。また、本体に第２の凹み部を設けるだけなので、シートなどの部品を追加する必要がなく、また飾り部と本体との嵌合位置をわざわざ本体の前方に移動させる必要もないので、製品のコンパクト化と製造コストの低減を実現できる
さらに、本体の前上面に位置する第２の凹み部の断面積が、本体の正面に位置する第２の凹み部の断面積よりも大きく、この部分で流体を貯留量を意図的に増加させているので、本体の上面に流体を掛けられた場合でも、そのすぐ近傍に位置する第２の凹み部でオーバーフローすることなく流体を受入れ、本体への流体の侵入を確実に防止できる。
【００１４】
本発明の請求項２における炊飯器では、飾り部と本体のそれぞれに対応してフック部と受部を設けて、双方の部材を嵌合できるようにしているので、本体への飾り部の取付けを容易にすることができる。
【００１５】
本発明の請求項３における炊飯器では、嵌合用のフック部と受部との隙間から、万一流体などが侵入するようなことがあっても、制御手段は受部よりも内側に位置しているために、制御手段への流体の付着を防止できる。
【００１６】
本発明の請求項４における炊飯器では、飾り部が本体に取付けられた時に、この本体を構成する上枠と底板に対しほぼ同一面となるか、或いは凸になるように第１の凹み部を設け、さらに第１の凹み部には、別に形成された第２の凹み部を設けているので、本体に対して水などの流体が掛かっても、第１の凹み部に達した流体は第２の凹み部に流れ込んで、本体内部への流体の侵入を防止できる。その結果、制御手段への流体の付着を防止でき、使用上の安全性を向上させた炊飯器を提供できる。また、本体に第２の凹み部を設けるだけなので、シートなどの部品を追加する必要がなく、また飾り部と本体との嵌合位置をわざわざ本体の前方に移動させる必要もないので、製品のコンパクト化と製造コストの低減を実現できる。
【００１７】
さらに、上枠に形成した凹み部から、その下方にある底板に形成した凹み部にかけて、その深さが変化する変位部を形成しているので、第２の凹み部に貯留する流体は、変位部を通過して底板に形成した凹み部へと自然に流れて行く。そのため、上枠と底板との連結部から本体の内部に流体を侵入させることなく、本体の外部へと流体を流し易くすることができる。
【００１８】
本発明の請求項５における炊飯器では、飾り部を覆う範囲内で、上枠の嵌合部が底板に嵌合されるようになっているので、本体の外観品位を低下することなく、円滑に本体の外部へ流体を排出することができる。
【００１９】
本発明の請求項６における炊飯器では、変位部を上枠のみに設けるか、或いは上枠と底板に跨るようにして設けることで、少なくとも上枠から流体の流れに変化をつけて、本体の外部に流体を流し易く案内できる。
【発明の効果】
【００２０】
本発明の請求項１における炊飯器によれば、不意に水などの流体が掛けられた場合でも、制御手段の短絡発生を防止して、使用上の安全性を向上させ、製品のコンパクト化と製造コストの低減を実現できる。また、本体への水の侵入を確実に防止できる。
【００２１】
本発明の請求項２における炊飯器によれば、本体への飾り部の取付けを容易にすることができる。
【００２２】
本発明の請求項３における炊飯器によれば、嵌合用のフックと受部との隙間から、流体などが侵入するようなことがあっても、制御手段への流体の付着を防止できる。
【００２３】
本発明の請求項４における炊飯器によれば、不意に水などの流体が掛けられた場合でも、制御手段の短絡発生を防止して、使用上の安全性を向上させ、製品のコンパクト化と製造コストの低減を実現できる。また、本体の外部へと流体を流し易くすることができる。
【００２４】
本発明の請求項５における炊飯器によれば、本体の外観品位を低下することなく、円滑に本体の外部へ流体を排出することができる。
【００２５】
本発明の請求項６における炊飯器によれば、本体の外部に流体を流し易く案内できる。
【発明を実施するための最良の形態】
【００２６】
以下、添付図面を参照しつつ、本発明における炊飯器の好ましい実施例を説明する。
【００２７】
まず、図１に基づき、本発明の第１実施例における炊飯器の構成について説明する。同図において、１は炊飯器の外郭をなす本体で、この本体１は、その上面と側面を構成する筒状の上枠２と、上枠２の底部開口を塞いで固定された有底状の底板３とにより構成される。また、本体１の内部には、上面を開口した鍋収容部としての内枠４が設けられる。前記上枠２や底板３は、何れもプラスチック製であるが、内枠４は赤外線の反射率が高いアルミニウムなどの金属材料からなり、上面を開口した有底筒状に形成されている。上枠２の上部には、その中心方向に向けて内向き鍔部５が一体的に形成されており、この内向き鍔部５に内枠スペーサ６を介して前記内枠４の上部に形成されたフランジ部７が固定されている。
【００２８】
８は容器に相当する鍋で、アルミニウム材料を主体にして上面を開口した有底筒状に形成されており、被炊飯物である米や水などが内部に収容されるものである。また、鍋８の上面開口部には、外方に延出したフランジ９が形成される。内枠４の内底部には、シーズヒータなどの炊飯ヒータ11を埋設したヒータ台12が設けられ、このヒータ台12の上面に鍋８の外底面が載った状態で、鍋８が内枠４内に着脱自在に収容される。このとき、鍋８の外面と内枠４の内面との間には空間が形成される。そして、炊飯ヒータ11を通電すると、この炊飯ヒータ11からの熱が熱伝導性に優れた材料であるヒータ台12に速やかに伝達し、鍋８の底部を直接加熱すると共に、ヒータ台12からの輻射熱を内枠４と鍋８との空間から鍋８の側面に導いて、鍋８の側部も併せて加熱するようになっている。
【００２９】
なお、鍋８を加熱する加熱手段として、本実施例のような炊飯ヒータ11の代わりに、例えば交番磁界を発生する誘導加熱コイルを採用し、鍋８の外面に設けた磁性金属体を発熱させる構成としてもよい。また、保温時などにおいて鍋８の上部や側部を効果的に加熱するために、内枠４の上部や側部に別なヒータを配設してもよい。
【００３０】
15は鍋８の外面温度を検出する温度検出手段としての鍋センサであり、これは付勢手段であるスプリング16を介して上下動自在に且つ上方へ付勢して設けられる。鍋センサ15は、内枠４の中央開口部17を挿通してヒータ台12の上方にまで突出し、鍋８の外底面に弾発的に接触するものである。そして、鍋センサ15は鍋８の外面温度を検出する負温度サーミスタなどからなる感熱素子を内蔵している。
【００３１】
鍋センサ15の下方には、鍋スイッチ17（図６参照）に連結する操作杆18が上下動可能に配設される。この操作杆18は鍋センサ15の上下動に連動して、鍋スイッチ17をオン，オフさせるもので、内枠４内に鍋８が収容されると、この鍋８により鍋センサ15が押されて操作杆18が下降し、逆に内枠４から鍋８が取り出されると、スプリング16の付勢力が作用して鍋センサ15ひいては操作杆18が上昇することで、鍋８の有無を鍋スイッチ17により検知するようになっている。さらに、本体１の後側には、電源コードを巻き取るコードリール19が設けられる。
【００３２】
上枠２の前側には、その上面の一部から正面にかけて飾り部としての操作パネル21が設けられている。ここで、操作パネル21およびその周辺の構成を、図２〜図５をも含めてさらに詳しく説明すると、操作パネル21は、後述する操作部としてスイッチ31や、表示部としてのＬＣＤ32やＬＥＤ33と向かい合い、本体１ひいては上枠２の正面２Ａ側に配置される対向部22と、本体１の上面２Ｂ側に配置され、対向部22の上縁から本体１の内側に向けて延設した延出部23と、対向部22の内面適所に形成した鉤状のフック部24と、を備えて構成される。また、操作パネル21の内側には、上枠２を介して制御手段である制御基板25が設けられる。制御基板25の上面（部品実装面）には、例えば炊飯コースや調理コースの他に、各部の動作を指示するためのスイッチ31と、現在時刻や予約時刻などの時刻を表示するＬＣＤ32と、例えば炊飯や保温などの状況を表示するＬＥＤ33が、各々設けられている。この制御基板25は、本体１の内部に形成された上枠２の基板収容部26に取付けられる。
【００３３】
操作パネル21は、上枠２の表面に対しほぼ同一面の高さとなるように取付けられる。その際、上枠２に対し操作パネル21が凸になる部分があったり、逆に凹になる部分があってもよい。いずれにせよ、操作パネル21を上枠２の所望の位置と高さで取り付けるために、操作パネル21の厚さ分に見合う凹んだ部分が上枠２に形成される。これは、操作パネル21の対向部22裏面に接する第１の凹み部35として参照される。第１の凹み部35は、操作パネル21の対向部22の外縁に臨んで形成してもよいし、操作パネル21の対向部22全体に臨んで形成してもよい。また、操作パネル21の対向部22のみならず、延出部23の裏面に臨んで形成してもよい。
【００３４】
本体１に対して不用意に水などの流体が掛かった場合に、流体は外枠２と操作パネル21との隙間28から第１の凹み部35に侵入する。外枠２の正面２Ａには、制御基板25に備えたスイッチ31のボタン動作を損なわないように、またＬＣＤ32やＬＥＤ33の視認性を損なわないように、これらのスイッチ31，ＬＣＤ32およびＬＥＤ33に対応した孔34が設けられており、後述する第２の凹み部36がなければ、第１の凹み部35に侵入した流体が、孔34から本体１の内部に入る。このとき、制御基板25に水などの流体が付着すれば、電装品を多く備えた制御基板25は短絡状態になる。
【００３５】
一方、本実施例では、そのような事態を避けるために、外枠２に設けた第１の凹み部35に、操作パネル21の対向部22外縁と当たる部分よりも内側に位置して、第１の凹み部35よりも深い第２の凹み部36を設けている。この第２の凹み部36は、上枠２の上面２Ｂに沿って形成された上面部36Ｂから、上枠２の正面２Ａに沿って形成された正面部36Ａに向かい、流体が流れるように連通して形成する。第１の凹み部35に浸入した流体は、本体１の内側に向かって流れる性質をもつが、そこに隙間としての第２の凹み部36があれば、流体が流れ込む（毛細管現象により、隙間は狭いほど流体は流れやすくなる）。よって、上枠２の正面３Ａの形状に沿って、流体は本体１の外部へと流れ出し、制御基板25への流体の付着を防止できる。
【００３６】
また、図４や図５に示すように、第２の凹み部36は、上面部36Ｂの断面積が正面部36Ａの断面積よりも大きい。これは、上枠２の上面２Ｂ側から流体を掛けられた場合、その流体が第２の凹み部36の上面部36Ｂから左右に流れて、第２の凹み部36の正面部36Ａへと移動し、本体１の外部に流れ出ることになるが、上面部36Ｂの断面積が正面部36Ａの断面積よりも大きければ、最初に第２の凹み部36へ流体が侵入する上面部36Ｂで、流体の貯留量を増やすことができるからである。
【００３７】
操作部であるスイッチ31や、表示部であるＬＣＤ32およびＬＥＤ33は、使い易さと見易さの点から、できる限り上枠２の正面２Ａ上方に位置して設けるのが好ましい。その場合、前記孔34も必然的に上枠２の正面２Ａ上方に位置することになる。このような構成では、上枠２の上面２Ｂから孔34までの距離が近くなってしまい、鯉に流体を掛けられたときに、第１の凹み部35から上枠２の孔34まで流体がすぐに到達することになる。そのため、上述したように、第２の凹み部36における上面部36Ｂの断面積を、その正面部36Ａの断面積よりも大きくすることで、上面部36からの流体の溢れ出し（オーバーフロー）を防止し、上枠２の正面２Ａの左右にある正面部36Ａに流体を移動させ、この正面部36Ａで流体を下方に流して、本体１の外部へと流出させることができる。
【００３８】
前述したように、操作パネル21の対向部22裏面には、その外縁部に位置して、上枠２への嵌合のためのフック部24を複数設けている。また、このフック部24に対応して、上枠２にはリブ状のフック受部39が設けられる。フック部24およびフック受部39は、第２の凹み部36よりも制御基板25に近い中心部側に設けられているが、それは第２の凹み部36が隙間28から流入する流体を受けることで、それよりも中心部側にあるフック部24およびフック受部39の隙間から、制御基板25側に流体が侵入するのを阻止するためである。なお、鉤状のフックを上枠２にフック受部39として設けてもよい。さらに、フック部24およびフック受部39よりも本体１の内側に制御基板25を配置することで、制御基板25への流体の侵入をさらに防ぐことが可能になる。
【００３９】
再び図１に戻り、41は本体１の上面開口を開閉する蓋体で、この蓋体41は、左右方向のヒンジ軸42により前記外枠２の上部後側に回動自在に支持されるとともに、ヒンジ軸42に設けられたヒンジスプリング43により開く方向へ付勢されている。このヒンジスプリング43に抗して、蓋体41は、クランプ装置44により閉じた状態に保持される。蓋体41は、外蓋46と、この外蓋46の下側に固定された裏板47と、この裏板47の下側に固定されたアルミニウム部材からなる放熱板48とからなっている。また、放熱板48の外周部と裏板47との間には、蓋体41を閉じた時に鍋８のフランジ部９上に密着するシールパッキング51が設けられる。蓋体41の下面を形成する放熱板48の裏面には、放熱板48を加熱するコードヒータなどからなる蓋ヒータ53が設けられる。さらに、蓋体41には蒸気孔54が設けられている。
【００４０】
前記外蓋46の上面には、飾り蓋55が設けられる。この飾り蓋55はステンレスなどの金属から構成してもよいし、シートをインサート成形した樹脂材料から構成してもよい。当該飾り蓋55は、外蓋46の前側の端面までの意匠とする。すなわち、飾り蓋55からその直下にある操作パネル21にかけて、一連の形状となるように意匠する。
【００４１】
次に、炊飯器の主な回路構成を図６に基づき説明する。61は制御処理装置としてのマイクロコンピュータ（以下、マイコンと称する。）であり、これは周知のように、演算処理機能を有するＣＰＵ62と、記憶手段に相当するＲＯＭやＲＡＭなどのメモリ63と、タイマたる計時手段64とを備えて構成される。また、ＣＰＵ62の入力ポートおよび出力ポートには、各々入力回路65，66と、出力回路67，68が接続される。入力回路65には鍋センサ15からの温度データが入力される一方、入力回路66には鍋スイッチ17からの鍋検出信号が入力される。また、出力回路67には、炊飯ヒータ11を通断電する駆動回路69が接続されるとともに、出力回路68には、蓋ヒータ53を通断電する駆動回路70が接続される。マイコン61のＣＰＵ62は、スイッチ31からの操作信号と、鍋センサ15からの温度データと、鍋スイッチ17からの鍋検出信号と、計時手段64からの計時データなどに基づき、予めメモリ63に記憶した制御シーケンスにしたがって、炊飯ヒータ11および蓋ヒータ53をオン，オフ駆動制御し、所定の加熱パターンにて炊飯加熱を行なうようにしている。
【００４２】
そして本実施例では、本体１に対して不用意に水などの流体が掛かった場合に、流体は外枠２と操作パネル21との隙間28から第１の凹み部35に侵入する。第１の凹み部35に浸入した流体は、本体１の内側に向かって流れる性質をもつが、第１の凹み部35には、隙間としてより深い第２の凹み部36が設けられており、この第２の凹み部36に流体が流れ込んで、本体１の内部への流体の侵入を防止できる。
【００４３】
また特に、蓋体41を開けた場合などには、上枠２の上面２Ｂ側から流体を掛けられることが多くなるが、流体は第２の凹み部36の上面部36Ｂから左右に流れて、第２の凹み部36の正面部36Ａへと移動し、本体１の外部に流れ出る。このとき第２の凹み部36は、上面部36Ｂの断面積が正面部36Ａの断面積よりも大きいので、最初に第２の凹み部36へ流体が侵入する上面部36Ｂで流体が多く貯留し、上面部36から流体を溢れ出させることなく、本体１の外部へと流体を流出させることが可能になる。
【００４４】
以上のように本実施例では、容器である鍋８を収納する本体１と、操作部であるスイッチ31や表示部であるＬＣＤ32およびＬＥＤ33を備えた制御手段としての制御基板25と、この制御基板25に対向して、例えば本体１の前側の上面２Ｂと正面２Ａとを覆うように、本体１の前方に取付けられる飾り部としての操作パネル21と、本体１の上部などを覆う蓋体41と、により構成した炊飯器において、本体１には、この本体１に対しほぼ同一面となるか、或いは凸になるように操作パネル21を取付けるための第１の凹み部35が設けられ、この第１の凹み部35には、当該第１の凹み部35よりも深く別に形成された第２の凹み部36が設けられ、本体１の前側の上面２Ｂに位置する第２の凹み部36の上面部36Ｂの断面積が、本体１の正面２Ａに位置する第２の凹み部36の断面積よりも大きく形成してある。
【００４５】
この場合、操作パネル21が本体１の上枠２に取付けられた時に、この本体１に対しほぼ同一面となるか、或いは凸になるように第１の凹み部35を設け、さらに第１の凹み部35には、この第１の凹み部35よりも深く形成された第２の凹み部36を設けているので、本体１に対して水などの流体が掛かっても、第１の凹み部35に達した流体は第２の凹み部36に流れ込んで、本体１内部への流体の侵入を防止できる。その結果、制御基板25への流体の付着を防止でき、使用上の安全性を向上させた炊飯器を提供できる。また、本体１に第２の凹み部36を設けるだけなので、シートなどの部品を追加する必要がなく、また操作パネル21と本体１との嵌合位置をわざわざ本体１の前方に移動させる必要もないので、製品のコンパクト化と製造コストの低減を実現できる。
【００４６】
さらに、本体１の前側の上面２Ｂに位置する第２の凹み部36の上面部36Ｂの断面積が、本体１の正面２Ａに位置する第２の凹み部36の断面積よりも大きく、この部分で流体を貯留量を意図的に増加させているので、本体１の上面に流体を掛けられた場合でも、そのすぐ近傍に位置する第２の凹み部36の上面部36Ｂでオーバーフローすることなく流体を受入れ、本体１への流体の侵入を確実に防止することができる。
【００４７】
また本実施例では、操作パネル21にフック部24を設け、このフック部24に嵌合する受部としてのフック受部39を本体１に設けている。すなわち、操作パネル21と本体１のそれぞれにフック部24とフック受部39を設けて、双方の部材を嵌合できるようにしているので、本体１への操作パネル21の取付けを容易にすることができる。
【００４８】
さらに本実施例では、制御基板25を本体１に設けたフック受部39よりも内側に配置している。こうすれば、嵌合用のフック部24とフック受部39との隙間から、万一流体などが侵入するようなことがあっても、制御基板25はフック受部39よりも内側に位置しているために、制御基板25への流体の付着を防止できる。
【００４９】
次に、本発明の第２実施例を図７〜図１０に基づき説明する。なお、前記第１実施例と共通する箇所には共通の符号を付し、共通する説明は極力省略する。
【００５０】
本実施例では、操作パネル21が上枠２のみならず、底板３に至る部分にまで配設されている。なお、上枠２と底板３との当接部分以外の構成は、第１実施例で示したものと全て共通している。
【００５１】
図９に示すように、上枠２の最下部に位置する下方開口部２Ｃの外周には、下方に突出したリブ81が設けられる。このリブ81は、底板３の上面開口部３Ａの内側に挿入され、上枠２の下方開口部２Ｃの全周に設けてもよいし、部分的に設けてもよい。リブ81は、上枠２と底板３との嵌合時における段差を均一にするために設けられており、底板３の上面開口部３Ａの内側にリブ81を挿入することで、リブ81が外観として本体１の外面にあらわれるのを防止している。すなわち、リブ81が外観としてあらわれると見苦しくなり、商品性を低下させるためである。
【００５２】
操作パネル21は前述のように、上枠２の上面２Ｂから正面２Ａにかけてと、底板３の正面３Ａを覆っている。そのため、底板３の操作パネル21が向かい合う部分には、第１の凹み部35が設けられる。また、図８に示すように、上枠２に形成した第２の凹み部36の下端に連通して、底板３の上部には、操作パネル21の外縁に対向する部分で、同様の第２の凹み部36が形成される。さらに、ここから底板３に形成した第１の凹み部35にかけて、その深さが連続的に且つ緩やかに変化する変位部82を形成する。仮に、図８において、底板３に第２の凹み部36や変位部82が形成されていなければ、上枠２に形成した第２の凹み部36と、底板３に形成した第１の凹み部35との間で段差を生じ、そこから底板３の内部へと流体が侵入するが、図８のような構成であれば、上枠２に形成した第２の凹み部36から、底板３に形成した第２の凹み部36と変位部82を伝って、流体が底板３の第１の凹み部35に円滑に達し、そこから本体１の外部へ流体を流出することが可能になる。
【００５３】
図１０に示すように、操作パネル21で上枠２と底板３との接合部分を覆う部分では、底板３の上面開口部３Ｂの内側にではなく、外側に嵌合する別なリブ83が、上枠２の下方開口部２Ｃから下方に突出して設けられる。リブ83は底板３の上面開口部３Ｂの外側に位置しているが、操作パネル21で隠れるので、外観上の品位低下とはならない。しかも、リブ83と底板３の上面開口部との間の隙間84は、その下端が本体１の内側ではなく外側に連通しているので、水などの流体が本体１の外側に流れやすくなる。
【００５４】
以上のように本実施例では、容器である鍋８を収納し、その上部にある上枠２やその下部にある底板３を有する本体１と、操作部であるスイッチ31や表示部であるＬＣＤ32およびＬＥＤ33を備えた制御手段としての制御基板25と、この制御基板25に対向して、例えば上枠２の正面２Ａと底板３の正面３Ａを覆うように、本体１の前方に取付けられる飾り部としての操作パネル21と、本体１の上部を覆う蓋体41と、により構成した炊飯器において、本体１には、この本体１に対しほぼ同一面となるか、或いは凸になるように操作パネル21を取付けるための第１の凹み部35が設けられ、この第１の凹み部35には、当該第１の凹み部35よりも深く別に形成された第２の凹み部36が設けられ、上枠２に形成した凹み部である第２の凹み部36から、底板３に形成した凹み部である第１の凹み部35にかけて、その深さが変化する変位部82を形成している。
【００５５】
この場合も、操作パネル21が本体１に取付けられた時に、この本体１を構成する上枠２と底板３に対しほぼ同一面となるか、或いは凸になるように第１の凹み部35を設け、さらに第１の凹み部35には、この第１の凹み部35よりも深く形成された第２の凹み部36を設けているので、本体１に対して水などの流体が掛かっても、第１の凹み部35に達した流体は第２の凹み部36に流れ込んで、本体１内部への流体の侵入を防止できる。その結果、制御基板25への流体の付着を防止でき、使用上の安全性を向上させた炊飯器を提供できる。また、本体１に第２の凹み部36を設けるだけなので、シートなどの部品を追加する必要がなく、また操作パネル21と本体１との嵌合位置をわざわざ本体１の前方に移動させる必要もないので、製品のコンパクト化と製造コストの低減を実現できる。
【００５６】
さらに、上枠２に形成した第２の凹み部36から、その下方にある底板３に形成した第１の凹み部35にかけて、その深さが変化する変位部82を形成しているので、第２の凹み部36に貯留する流体は、変位部82を通過して底板３に形成した第１の凹み部35へと自然に流れて行く。そのため、上枠２と底板３との連結部から本体１の内部に流体を侵入させることなく、本体１の外部へと流体を流し易くすることができる。
【００５７】
また本実施例では、上枠２の下部外周に底板３との嵌合部であるリブ83を設け、操作パネル21で覆う範囲内にある前記リブ83が、底板３の上部外側で嵌合される構成となっている。こうすれば、操作パネル21を覆う範囲内で、上枠２の嵌合部であるリブ83が底板２の上部内側ではなく外側で嵌合されるようになっているので、本体１の外観品位を低下することなく、円滑に本体１の外部へ流体を排出することができる。
【００５８】
さらに、実施例中の変位部82は、上枠２のみ、または上枠２と底板３に設けられていてもよい。こうすれば、変位部82を上枠２のみに設けるか、或いは上枠２と底板３に跨るようにして設けることで、少なくとも上枠２から流体の流れに変化をつけて、本体１の外部に流体を流し易く案内できる。
【００５９】
なお、本発明は、上記実施例に限定されるものではなく、本発明の趣旨を逸脱しない範囲で変更可能である。例えば、各実施例における第２の凹み部の底面はコ字状以外にＵ字状に形成されていてもよく、またそれ以外の各部（例えば飾り部）の形状も、実施例中のものに限定されない。
【図面の簡単な説明】
【００６０】
【図１】本発明の第１実施例における炊飯器の全体縦断面図である。
【図２】同上、操作パネルを裏面側から見た斜視図である。
【図３】同上、炊飯器の要部横断面図である。
【図４】同上、要部の斜視図である。
【図５】同上、要部の斜視図である。
【図６】同上、電気的構成を示すブロック図である。
【図７】本発明の第２実施例における炊飯器の全体縦断面図である。
【図８】同上、上枠と底板との連結部周辺を示す要部の分解斜視図である。
【図９】同上、操作パネルが設けられていない位置で、上枠と底板との当接部周辺を示す要部の縦断面図である。
【図１０】同上、操作パネルが設けられている位置で、上枠と底板との当接部周辺を示す要部の縦断面図である。
【符号の説明】
【００６１】
１  本体
２  上枠
３  底板
８  鍋（容器）
21  操作パネル（飾り部）
24  フック部
31  スイッチ（操作部）
32  ＬＣＤ（表示部）
33  ＬＥＤ（表示部）
35  第１の凹み部
36  第２の凹み部
39  フック受部（受部）
41  蓋体
82  変位部
83  リブ（嵌合部）
【図１】
2007143893.tif 000003
【図２】
2007143893.tif 000004
【図３】
2007143893.tif 000005
【図４】
2007143893.tif 000006
【図５】
2007143893.tif 000007
【図６】
2007143893.tif 000008
【図７】
2007143893.tif 000009
【図８】
2007143893.tif 000010
【図９】
2007143893.tif 000011
【図１０】
2007143893.tif 000012